(57)【要約】【課題】  ノズル板と流路ユニットの接合による接着剤のはみ出し、ノズル孔への接着剤の流入等の防止、強固な接合強度の維持、長尺ヘッドへの対応を満たすことができない。【解決手段】  ノズル板１にはノズル孔１１のみを有し、更に流路形成部材２のノズル板１との接合面には空孔部１３が形成され、かつ、すべての空孔部１３の開口面積の合計が流路形成部材２のノズル板１側表面積の３０％〜７０％の範囲内とし、接着剤のはみ出しを抑えつつ、ノズル板１と流路形成部材２との十分な接合強度を確保する。【選択図】  図１
2007062237.tif 000002
【特許請求の範囲】
【請求項１】
記録液の液滴を吐出するノズル孔が形成されたノズル板と、前記ノズル孔が連通する流路を形成する流路形成部材とを接合した液体吐出ヘッドにおいて、前記ノズル板には前記ノズル孔のみを有し、更に前記流路形成部材の前記ノズル板との接合面には空孔部が形成され、かつ、すべての空孔部の開口面積の合計が前記流路形成部材の接合側表面積の３０％〜７０％の範囲内であることを特徴とする液体吐出ヘッド。
【請求項２】
請求項１に記載の液体吐出ヘッドにおいて、前記ノズル板が樹脂材料で形成されていることを特徴とする液体吐出ヘッド。
【請求項３】
請求項１又は２に記載の液体吐出ヘッドを製造する製造方法において、前記空孔部が形成された流路形成部材の接合面に前記ノズル板を接合した後、前記ノズル板に前記ノズル孔を形成することを特徴とする液体吐出ヘッドの製造方法。
【請求項４】
請求項３に記載の液体吐出ヘッドの製造方法において、前記流路形成部材の接合面に接着剤を転写法で形成した後前記ノズル板と接合することを特徴とする液体吐出ヘッドの製造方法
【請求項５】
液滴を吐出する液体吐出ヘッドとこの液体吐出ヘッドに記録液を供給する記録液タンクを一体化した記録液カートリッジにおいて、前記液体吐出ヘッドが請求項１又は２に記載の液体吐出ヘッドであることを特徴とする記録液カートリッジ。
【請求項６】
記録液の液滴を吐出させる液体吐出ヘッドを備えて被記録媒体に画像を形成する画像形成装置において、請求項１又は２に記載の液体吐出ヘッド又は請求項５に記載の記録液カートリッジを備えていることを特徴とする画像形成装置。
【発明の詳細な説明】
【技術分野】
【０００１】
本発明は液体吐出ヘッド、液体吐出ヘッドの製造方法、記録液カートリッジ、画像形成装置に関する。
【背景技術】
【０００２】
プリンタ、ファクシミリ、複写装置、プロッタ、プリンタ／ファックス／複写機複合機等の各種画像形成装置としては、記録液（例えばインク）の液滴を吐出する１又は複数の液体吐出ヘッドで構成した記録ヘッドを用いて、被記録媒体（以下「用紙」というが、材質を紙に限定するものではなく、また、記録媒体、記録紙、転写材などとも称される。）に画像を形成（記録、印刷、印字、印写も同義で使用する。）するインクジェット記録装置が知られている。
【０００３】
このような液体吐出ヘッドとしては、ノズル孔が形成されるノズル板と液流路および液室が形成される流路形成部材と、エネルギー発生素子が形成されるアクチュエータユニットとを接合して構成される積層型のヘッドが広く知られている。
【０００４】
ところが、このような液体吐出ヘッドにおいては、高画質化に伴うノズル孔及び液室の小型化、高密度化によって、各部材の接合時に発生する位置ずれ、あるいは接着剤のはみ出し、あるいはノズル孔への接着剤の流入等によって、液滴吐出安定性が阻害され、画像品質の確保ができなくなる不具合が生じている。
【０００５】
そこで、特許文献１には、流路ユニットとノズル板あるいはアクチュエータユニットとの接合精度に対して、位置決めピンを用いその位置決めピンの構成を改良することで接合精度を獲得することが記載されている。
【特許文献１】特開２００４−１７４８２７号公報
【０００６】
特許文献２には、ノズル板と流路ユニット接合時の接着剤のはみ出し、あるいはインク孔へ接着剤の流入を防止するために、流路ユニットの接合面に空溝を形成することによって、接合時に押圧された接着剤が空溝に入り込み、接着剤のはみ出しあるいはノズル孔への流入を防止することが記載されている。
【特許文献２】特開２００１−１６２８０２号公報
【０００７】
特許文献３には、ノズル板と流路ユニットあるいはアクチュエータユニットとを接着剤によって接合するときに、ノズル板にスクリーン印刷法によって接着剤をドット状に塗布し、気泡や副生成物を排出させるための逃がし通路を形成することで、接着不良を防止することが記載されている。
【特許文献３】特開２００３−２１１６７６号公報
【０００８】
特許文献４には、流路板の溝以外の部分に接着剤の逃げ溝を形成して、はみ出した接着剤を逃げ溝に逃がすようにすることが記載されている。
【特許文献４】特開平５−３３００６７号公報
【０００９】
特許文献５には、少なくとも２つの薄層部材を接着層を介して接合した薄層接合部材であって、接合された２つの薄層部材の少なくとも一方の薄層部材の接合面側は偏肉があり、接着層の厚みが偏肉に沿って変化している構成とすることが記載されている。
【特許文献５】特開２００１−２２５４６８号公報
【発明の開示】
【発明が解決しようとする課題】
【００１０】
ところが、最近では、インクジェット記録装置における高画質化を目的とした微細化が著しく、ノズル孔及び液室の小型化の要求から、これらのユニット接合（ノズル板と流路形成部材の接合）に高い精度が必要となってきている。しかも、インクジェット記録装置の高速化を目的としたヘッドの長尺化が急速に進展しており、接合精度の向上を図りつつ長尺ヘッドを形成できるようにしなければならないという課題が生じている。
【００１１】
本発明は上記の課題に鑑みてなされたものであり、ノズル板と流路形成部材の接合における接着剤のはみ出し、ノズル孔への接着剤の流入等を防止するとともに、強固な接合強度を実現することで長尺ヘッドにも対応することができる液体吐出ヘッド、その製造方法、その液体吐出ヘッドを備えた記録液カートリッジ、画像形成装置を提供することを目的とする。
【課題を解決するための手段】
【００１２】
上記の課題を解決するため、本発明に係る液体吐出ヘッドは、ノズル板にはノズル孔のみを有し、更に流路形成部材のノズル板との接合面には空孔部が形成され、かつ、すべての空孔部の開口面積の合計が流路形成部材の接合側表面積の３０％〜７０％の範囲内である構成とした。
【００１３】
ここで、ノズル板が樹脂材料で形成されていることが好ましい。
【００１４】
本発明に係る液体吐出ヘッドの製造方法は、本発明に係る液体吐出ヘッドを製造する製造方法において、空孔部が形成された流路形成部材の接合面にノズル板を接合した後、ノズル板にノズル孔を形成する構成とした。
【００１５】
ここで、流路形成部材の接合面に転写法で接着剤を形成することが好ましい。
【００１６】
本発明に係る記録液カートリッジは、液滴を吐出する本発明に係る液体吐出ヘッドとこの液体吐出ヘッドに記録液を供給する記録液タンクを一体化したものである。
【００１７】
本発明に係る画像形成装置は、本発明に係る液体吐出ヘッド又は本発明に係る記録液カートリッジを備えたものである。
【発明の効果】
【００１８】
本発明に係る液体吐出ヘッドによれば、ノズル板にはノズル孔のみを有し、更に流路形成部材のノズル板との接合面には空孔部が形成され、かつ、この空孔部の開口面積の合計が接合面の３０％〜７０％の範囲内である構成としたので、ノズル板と流路形成部材の接合による接着剤のはみ出し、ノズル孔への接着剤の流入等を防止できるとともに、強固な接合強度を実現することができ、長尺ヘッドにも対応することができる。
【００１９】
本発明に係る液体吐出ヘッドの製造方法によれば、本発明に係る液体吐出ヘッドを製造する製造方法において、前記空孔部が形成された流路形成部材の接合面に前記ノズル板を接合した後、前記ノズル板に前記ノズル孔を形成する構成としたので、接合時にノズル孔が形成されていないことによって位置決めが不要になるとともに大型ヘッドに対しても位置ずれ等の影響のない接合が実現できる。
【００２０】
本発明に係る記録液カートリッジ、本発明に係る画像形成装置によれば、本発明に係る液体吐出ヘッドを備えているので、信頼性が向上する。
【発明を実施するための最良の形態】
【００２１】
以下、本発明の実施の形態について添付図面を参照して説明する。本発明に係る液体吐出ヘッドの一例について図１ないし図４を参照して説明する。なお、図１は同ヘッドの分解斜視説明図、図２は同ヘッドの液室短手方向に沿う断面説明図である。
この液体吐出ヘッドは、ノズル板１と、流路形成部材２と、振動板３と、アクチュエータ基板４とを積層して構成している。
【００２２】
ノズル板１は、ポリイミド樹脂などの樹脂材料により形成し、例えば２６μｍ径のノズル孔１１を１５０ｄｐｉピッチで形成している。流路形成部材２は、ノズル板１との接合面側にノズル孔１１に連通した連通孔１２と空孔部１３を形成し、接合面と反対側には連通孔１２に連通する液室１４を形成している。この流路形成部材２は、例えば単結晶シリコン基板を用いて、連通孔１２、空孔部１３及び液室１４などを公知のアルカリ系水溶液によるウェットエッチングによって形成する。
【００２３】
振動板３には液室１４に対応し、かつ液室１４の一つの壁面を形成するダイヤフラム状のＮｉ基材が用いられている。アクチュエータ基板４には液室１４及びダイヤフラム部１５に対応した圧電素子１６を配置している。
【００２４】
このように構成した液体吐出ヘッドにおいては、図示しない外部の駆動回路からアクチュエータ基板４上の圧電素子１６に対して駆動信号を印加することによって、圧電素子１６が電気機械変換作用によって収縮し、圧電素子１６に対応した振動板３のダイヤフラム部１５が変位する。この振動板３の変位によって流路形成部材２の液室１４内のインクが加圧され、液室１４に連通した連通孔１２を経て、ノズル板１に形成されたノズル孔１１よりインク滴が吐出する。
【００２５】
次に、この液体吐出ヘッドにおけるノズル板１と流路形成部材２との接合工程及びノズル孔形成工程について図３を参照して説明する。
ここでは、ノズル孔が形成されていないノズル板１（ここでは、２５μｍ厚のポリイミドフィルムを用いた。）と流路形成部材２とを接着剤２０により接合し、接合した後、ノズル板１にノズル孔１１を形成している。
【００２６】
つまり、先ず、図３（ａ）に示すように、流路形成部材２のノズル板１との接合面に、転写法で接着剤２０と塗布する。このように転写法で接着剤２０を塗布することによって、接着剤２０の塗布量が安定するとともに、連通孔１２あるいは空孔部１３内への接着剤２０の入り込みが防止でき、安定した接合が実現できる。なお、接着剤２０は熱硬化型のエポキシ系接着剤を用いている。
【００２７】
次いで、図３（ｂ）に示すように、流路形成部材２にノズル板１を接合する。このとき、はみ出した接着剤２０の一部２０ａは流路形成部材２の空孔部１３内にはみ出し、また、他の一部２０ｂは連通孔１２内にはみ出する。
【００２８】
ここで、流路形成部材２の空孔部１３は上述したように流路形成部材２とノズル板１とを接着剤２０で接合するときの余剰接着剤の逃げしろとなる。この空孔部１０６の開口面積が接合面全体に対して多くなるほど（図４の例は図１の例よりも空孔部１３を増やしたものである。）、接着剤の逃げに対しては有効であるが、反面、流路形成部材２とノズル板１との接着面積が減ることから接合強度の低下を招くことになる。
【００２９】
実験によると、流路形成部材２の接合面側の全表面積に対するすべての空孔部１０６の開口面積の割合（開口面積率）とノズル板１と流路形成部材２の接合強度との関係の測定結果は図５に示すようなものであった。また、開口面積とノズル孔１１側への接着剤のはみ出しの関係は図６に示すようなものであった。
【００３０】
これらの実験結果に基づくと、開口面積率が７０％以上になると適正な接合強度（５０ｇ／ｃｍ以上）が得られなくなることが分かる。また、開口面積率が３０％以下である場合には接着剤２０の逃げしろが充分でなく、ノズル孔１１、連通孔１２側に接着剤２０が流入し、インクの吐出不良が生じる。本実施形態においては空孔部１３の開口面積率を６０％とする液室形成部材２を用いている。
【００３１】
図３に戻って、ノズル板１と流路形成部材２とを接合した部材に対し、図３（ｃ）に示すように、照明光学系によるレーザービーム２３を、ノズル孔径に対応する開口２２ａを形成したアパーチャ２２を介して流路形成部材２側から照射し、ノズル板１にノズル孔１１を穿孔する。つまり、ノズル孔１１はエキシマレーザーによるアブレーション加工によって形成している。このようにエキシマレーザー加工でノズル孔１１を形成する場合、ノズル板１は樹脂材料であることが好ましい。
【００３２】
このとき、流路形成部材２の連通孔１２内にはみ出していた接着剤２０のはみ出し部分２０ｂはエキシマレーザーによって除去されるので、ノズル孔１１内に接着剤が付着することはない。
【００３３】
つまり、図７に示すように、予めノズル孔１１を形成したノズル板１と流路形成部材２とを接着剤２０で接合すると、接合時の接着剤２０がノズル孔１１内あるいは連通孔１２内へはみ出し又は流入した場合に、ノズル孔１１あるいは連通孔１２内に異物２５として残存し、液滴の吐出不良の要因となる。これに対して、接合後にノズル孔１１を形成することで、少なくともノズル孔１１内への接着剤の流入を防止でき、ノズル詰まりを防止でき、安定した滴吐出特性が得られる。
【００３４】
このように、この液体吐出ヘッドにおいては、ノズル板にはノズル孔のみを有し、更に流路形成部材のノズル板との接合面には空孔部が形成され、かつ、すべての空孔部の開口面積の合計が前記流路形成部材の接合側表面積の３０％〜７０％の範囲内である構成としたので、ノズル板と流路ユニットの接合による接着剤のはみ出し、ノズル孔への接着剤の流入等を防止できるとともに、強固な接合強度を実現することができ、ライン型ヘッドなどの長尺ヘッドにも対応することができる。
【００３５】
次に、本発明に係る記録液カートリッジについて図８を参照して説明する。
この記録液カートリッジ８０は、ノズル８１等を有する本発明に係る液体吐出ヘッド８２と、この液体吐出ヘッド８２に対して液体（記録液）を供給する液体（記録液）タンク８３とを一体化したものである。
【００３６】
このように液体タンク一体型のヘッドの場合、ヘッドの性能はただちに記録液カートリッジ全体の性能につながるので、前記の流路形成部材を有する液体吐出ヘッドを使用することにより、低コストで高画質、高速記録に対応できる記録液カートリッジを得ることができる。
【００３７】
次に、本発明に係る液体吐出ヘッドを備えた本発明に係る画像形成装置の一例について９及び図１０を参照して説明する。なお、図９は同画像形成装置の全体構成を説明する側面説明図、図１０は同装置の要部平面説明図である。
【００３８】
この画像形成装置は、図示しない左右の側板に横架したガイド部材であるガイドロッド１０１とガイドレール１０２とでキャリッジ１０３を主走査方向に摺動自在に保持し、主走査モータ１０４で駆動プーリ１０６Ａと従動プーリ１０６Ｂ間に架け渡したタイミングベルト１０５を介して図８で矢示方向（主走査方向）に移動走査する。
【００３９】
このキャリッジ１０３には、例えば、ブラック（Ｋ）、シアン（Ｃ）、マゼンタ（Ｍ）、イエロー（Ｙ）の各色の記録液の液滴（インク滴）を吐出する独立した４個の本発明に係る液体吐出ヘッド１０７ｋ、１０７ｃ、１０７ｍ、１０７ｙで構成した記録ヘッド１０７を主走査方向に沿う方向に配置し、液滴吐出方向を下方に向けて装着している。なお、ここでは独立した液体吐出ヘッドを用いているが、各色の記録液の液滴を吐出する複数のノズル列を有する１又は複数のヘッドを用いる構成とすることもできる。また、色の数及び配列順序はこれに限るものではない。
【００４０】
記録ヘッド１０７を構成する本発明に係る液体吐出ヘッドとしては、加圧液室内のインクを加圧する圧力発生手段として圧電素子などの電気機械変換素子を用いてインク流路の壁面を形成する振動板を変形させてインク流路内容積を変化させてインク滴を吐出させるいわゆるピエゾ型のもの、発熱抵抗体などの電気熱変換素子を用いて記録液の膜沸騰を利用するいわゆるサーマル型のもの、インク流路の壁面を形成する振動板と電極とを対向配置し、振動板と電極との間に発生させる静電力によって振動板を変形させることで、インク流路内容積を変化させてインク滴を吐出させる静電型のもの、温度変化による金属相変化を用いる形状記憶合金アクチュエータなどを使用できる。
【００４１】
キャリッジ１０３には、記録ヘッド１０７に各色のインクを供給するための各色のサブタンク１０８を搭載している。このサブタンク１０８にはインク供給チューブ１０９を介して図示しないメインタンク（インクカートリッジ）からインクが補充供給される。
【００４２】
一方、給紙カセット１１０などの用紙積載部（圧板）１１１上に積載した被記録媒体（用紙）１１２を給紙するための給紙部として、用紙積載部１１１から用紙１１２を１枚ずつ分離給送する半月コロ（給紙ローラ）１１３及び給紙ローラ１１３に対向し、摩擦係数の大きな材質からなる分離パッド１１４を備え、この分離パッド１１４は給紙ローラ１１３側に付勢されている。
【００４３】
そして、この給紙部から給紙された用紙１１２を記録ヘッド１０７の下方側で搬送するための搬送部として、用紙１１２を静電吸着して搬送するための搬送ベルト１２１と、給紙部からガイド１１５を介して送られる用紙１１２を搬送ベルト１２１との間で挟んで搬送するためのカウンタローラ１２２と、略鉛直上方に送られる用紙１１２を略９０°方向転換させて搬送ベルト１２１上に倣わせるための搬送ガイド１２３と、押さえ部材１２４で搬送ベルト１２１側に付勢された先端加圧コロ１２５とを備えている。また、搬送ベルト１２１表面を帯電させるための帯電手段である帯電ローラ１２６を備えている。
【００４４】
ここで、搬送ベルト１２１は、無端状ベルトであり、搬送ローラ１２７とテンションローラ１２８との間に掛け渡されて、副走査モータ１３１からタイミングベルト１３２及びタイミングローラ１３３を介して搬送ローラ１２７が回転されることで、図８のベルト搬送方向（副走査方向）に周回するように構成している。なお、搬送ベルト１２１の裏面側には記録ヘッド１０７による画像形成領域に対応してガイド部材１２９を配置している。
【００４５】
また、図１０に示すように、搬送ローラ１２７の軸には、スリット円板１３４を取り付け、このスリット円板１３４のスリットを検知するセンサ１３５を設けて、これらのスリット円板１３４及びセンサ１３５によってエンコーダ１３６を構成している。
【００４６】
帯電ローラ１２６は、搬送ベルト１２１の表層に接触し、搬送ベルト１２１の回動に従動して回転するように配置され、加圧力として軸の両端に各２．５Ｎをかけている。
【００４７】
また、キャリッジ１０３の前方側には、図９に示すように、スリットを形成したエンコーダスケール１４２を設け、キャリッジ１０３の前面側にはエンコーダスケール１４２のスリットを検出する透過型フォトセンサからなるエンコーダセンサ１４３を設け、これらによって、キャリッジ１０３の主走査方向位置を検知するためのエンコーダ１４４を構成している。
【００４８】
さらに、記録ヘッド１０７で記録された用紙１１２を排紙するための排紙部として、搬送ベルト１２１から用紙１１２を分離するための分離部と、排紙ローラ１５２及び排紙コロ１５３と、排紙される用紙１１２をストックする排紙トレイ１５４とを備えている。
【００４９】
また、背部には両面給紙ユニット１５５が着脱自在に装着されている。この両面給紙ユニット１５５は搬送ベルト１２１の逆方向回転で戻される用紙１１２を取り込んで反転させて再度カウンタローラ１２２と搬送ベルト１２１との間に給紙する。
【００５０】
さらに、図１０に示すように、キャリッジ１０３の走査方向の一方側の非印字領域には、記録ヘッド１０７のノズルの状態を維持し、回復するための維持回復機構１５６を配置している。
【００５１】
この維持回復機１５６は、記録ヘッド１０７の各ノズル面をキャピングするための各キャップ１５７と、ノズル面をワイピングするためのブレード部材であるワイパーブレード１５８と、増粘した記録液を排出するために記録に寄与しない液滴を吐出させる空吐出を行なうときの液滴を受ける空吐出受け１５９などを備えている。
【００５２】
このように構成した画像形成装置においては、給紙部から用紙１１２が１枚ずつ分離給紙され、略鉛直上方に給紙された用紙１１２はガイド１１５で案内され、搬送ベルト１２１とカウンタローラ１２２との間に挟まれて搬送され、更に先端を搬送ガイド１２３で案内されて先端加圧コロ１２５で搬送ベルト１２１に押し付けられ、略９０°搬送方向を転換される。
【００５３】
このとき、図示しない制御回路によって高圧電源から帯電ローラ１２６に対してプラス出力とマイナス出力とが交互に繰り返すように、つまり交番する電圧が印加され、搬送ベルト１２１が交番する帯電電圧パターン、すなわち、周回方向である副走査方向に、プラスとマイナスが所定の幅で帯状に交互に帯電されたものとなる。このプラス、マイナス交互に帯電した搬送ベルト１２１上に用紙１１２が給送されると、用紙１１２が搬送ベルト１２１に静電力で吸着され、搬送ベルト１２１の周回移動によって用紙１１２が副走査方向に搬送される。
【００５４】
そこで、キャリッジ１０３を往路及び復路方向に移動させながら画像信号に応じて記録ヘッド１０７を駆動することにより、停止している用紙１１２にインク滴を吐出して１行分を記録し、用紙１１２を所定量搬送後、次の行の記録を行う。記録終了信号又は用紙１１２の後端が記録領域に到達した信号を受けることにより、記録動作を終了して、用紙１１２を排紙トレイ１５４に排紙する。
【００５５】
また、両面印刷の場合には、表面（最初に印刷する面）の記録が終了したときに、搬送ベルト１２１を逆回転させることで、記録済みの用紙１１２を両面給紙ユニット１５５内に送り込み、用紙１１２を反転させて（裏面が印刷面となる状態にして）再度カウンタローラ１２２と搬送ベルト１２１との間に給紙し、タイミング制御を行って、前述したと同様に搬送ベル１２１上に搬送して裏面に記録を行った後、排紙トレイ１５４に排紙する
【００５６】
また、印字（記録）待機中にはキャリッジ１０３は維持回復機構１５５側に移動されて、キャップ１５７で記録ヘッド１０７のノズル面がキャッピングされて、ノズルを湿潤状態に保つことによりインク乾燥による吐出不良を防止する。また、キャップ１５７で記録ヘッド１０７をキャッピングした状態でノズルから記録液を吸引し（「ノズル吸引」又は「ヘッド吸引」という。）し、増粘した記録液や気泡を排出する回復動作を行い、この回復動作によって記録ヘッド１０７のノズル面に付着したインクを清掃除去するためにワイパーブレード１５８でワイピングを行なう。また、記録開始前、記録途中などに記録と関係しないインクを吐出する空吐出動作を行う。これによって、記録ヘッド１０７の安定した吐出性能を維持する。
【００５７】
このように、この画像形成装置は本発明に係る液体吐出ヘッドを備えているので、高画質、高速記録を行なうことができる。
【００５８】
次に、本発明に係る画像形成装置の他の例について図１１を参照して説明する。
この画像形成装置はフルライン型ヘッドを備えたものであり、簡単に説明すると、装置本体４０１の内部に画像形成部４０２及び用紙を搬送する静電搬送装置で構成される搬送機構４０３等を有し、装置本体４０１の一方側に多数枚の用紙４０５を積載可能な給紙トレイ４０４を備え、この給紙トレイ４０４から給紙される用紙４０５を取り込み、副走査搬送機構４０３によって用紙４０５を搬送しながら画像形成部４０２によって所要の画像を記録した後、装置本体４０１の他方側に装着された排紙トレイ４０６に用紙４０５を排紙する。
【００５９】
画像形成部４０２は、記録液を収容した記録液カートリッジと記録液の液滴を吐出する液体吐出ヘッドとを一体とし、用紙の幅方向（搬送方向と直交する方向）の長さ相当分のノズル列を有する本発明に係る記録液カートリッジで構成したライン型ヘッド４１０ｙ、４１０ｍ、４１０ｃ、４１０ｋを備えたものである。これらのライン型ヘッド４１０ｙ、４１０ｍ、４１０ｃ、４１０ｋは図示しないヘッドホルダに取り付けている。
【００６０】
ライン型ヘッド４１０ｙ、４１０ｍ、４１０ｃ、４１０ｋは、用紙搬送方向上流側からそれぞれ例えば、イエロー、マゼンタ、シアン、ブラックの順に各色の液滴を吐出する。なお、ライン型ヘッドとしては、各色の液滴を吐出する複数のノズル列を所定間隔で配置した１つのヘッドを用いることもできるし、ヘッドと記録液カートリッジを別体としたものを用いることもできる。
【００６１】
給紙トレイ４０４の用紙４０５は、給紙コロ４２１によって１枚ずつ分離され装置本体４０１内に給紙され、用紙供給ローラ４２２によって搬送機構４０３に送り込まれる。
【００６２】
この搬送機構４０３は、駆動ローラ４２３と従動ローラ４２４との間に掛け渡した搬送ベルト４２５と、この搬送ベルト４２５を帯電させるための帯電ローラ４２６と、搬送ベルト４２５を画像形成部２に対向する部分で案内するガイド部材（プラテンプレート）４２７と、搬送ベルト４２５に付着した記録液（インク）を除去するためのクリーニング手段である多孔質体などからなる記録液拭き取り部材（ここでは、クリーニングローラ）４２８と、用紙４０５を除電するための導電ゴムを主体とした除電ローラ４２９と、用紙４０５を搬送ベルト４２５側へ押える用紙押さえローラ４３０とを備えている。
【００６３】
また、搬送機構４０３の下流側には画像が記録された用紙４０５を排紙トレイ４０６に送り出すための排紙ローラ４３１を備えている。
【００６４】
このように構成した画像形成装置においても、搬送ベルト４２５を帯電させて用紙４０５を送り込むことによって、静電力で用紙４０５が搬送ベルト４２５に吸着されて、搬送ベルト４２５の周回移動によって搬送され、画像形成部４０２によって画像が形成されて、排紙トレイ４０６に排紙される。
【００６５】
そして、本発明に係る液体吐出ヘッド又は記録液カートリッジを備えることによって、高画質画像を高速で記録することができる。
【００６６】
なお、上記各実施形態では本発明に係る画像形成装置としてプリンタ構成で説明したが、これに限るものではなく、例えば、プリンタ／ファックス／コピア複合機などの画像形成装置に適用することができる。また、インク以外の液体である記録液や定着処理液などを用いる画像形成装置にも適用することができる。
【図面の簡単な説明】
【００６７】
【図１】本発明に係る液体吐出ヘッドの一例を示す分解斜視図である。
【図２】同ヘッドの液室短手方向に沿う断面説明図である。
【図３】同ヘッドの製造工程の説明に供する断面説明図である。
【図４】同ヘッドの流路形成部材の他の例を示す斜視説明図である。
【図５】流路形成部材の表面積に対する空孔部の開口面積の比率（開口面積率）と接合強度の関係の一例を示す説明図である。
【図６】開口面積率と接着剤のはみ出しの関係の一例を示す説明図である。
【図７】比較例の製造工程の説明に供する断面説明図である。
【図８】本発明に係る記録液カートリッジの一例を示す斜視説明図である。
【図９】本発明に係る画像形成装置の一例を示す全体構成図である。
【図１０】同じく要部平面説明図である。
【図１１】本発明に係る画像形成装置の一例を示す全体構成図である。
【符号の説明】
【００６８】
１…ノズル板
２…流路形成部材
３…振動板
４…アクチュエータ基板
１１…ノズル孔
１２…連通孔
１３…空孔部
１４…液室
１５…ダイヤフラム部
１６…圧電素子
２０…接着剤
１０３…キャリッジ
１０７…記録ヘッド
４０７…ライン型ヘッド
【図１】
2007062237.tif 000003
【図２】
2007062237.tif 000004
【図３】
2007062237.tif 000005
【図４】
2007062237.tif 000006
【図５】
2007062237.tif 000007
【図６】
2007062237.tif 000008
【図７】
2007062237.tif 000009
【図８】
2007062237.tif 000010
【図９】
2007062237.tif 000011
【図１０】
2007062237.tif 000012
【図１１】
2007062237.tif 000013